(57)【要約】【課題】  指先を挟んでも怪我をすることのないペダル装置および楽器を提供する。【解決手段】  ベース部材４上に後端部５ｂが上下方向に回転可能に取り付けられたペダル５と、このペダル５の先端部５ａ側を上方に向けて付勢するばね部材１３と、ペダル５の後端部５ｂ側を覆うカバーケース９とを備え、このカバーケース９が、ベース部材４に固定された固定カバー部１０と、この固定カバー部１０に上下方向に変位可能に取り付けられた可動カバー部１１とを備えている。従って、ペダル５の踏み込み操作時に、ペダル５とカバーケース９との間に足の指先が挟まっても、ペダル５の上方への復帰動作に伴って、指先と共にカバーケース９の可動カバー部１１を上側に変位させることができる。このため、指先を挟んでも怪我をすることがなく、安全にペダル５の踏み込み操作を行うことができる。【選択図】        図３
2014224854.tif 000002
【特許請求の範囲】
【請求項１】
ベース部材と、
このベース部材上に一端部が上下方向に回転可能に取り付けられたペダルと、
このペダルの他端部側を上方に向けて付勢する付勢部材と、
前記ベース部材に固定された固定カバー部、およびこの固定カバー部に上下方向に変位可能に取り付けられた可動カバー部を備え、前記ペダルの前記他端部側を露出させた状態で前記ペダルの前記一端部側を覆うカバーケースと、
を備えていることを特徴とするペダル装置。
【請求項２】
請求項１に記載のペダル装置において、前記固定カバー部は、前記ペダルの前記一端部側に位置する前記ベース部材上に起立して設けられ、前記可動カバー部は、前記ペダルの上方に位置した状態で、前記固定カバー部の上端部にヒンジ部によって回転可能に取り付けられていることを特徴とするペダル装置。
【請求項３】
請求項１または請求項２に記載のペダル装置において、前記付勢部材は、前記ペダルと前記可動カバー部との間に設けられ、この状態で前記ペダルと前記可動カバー部とを相互に引き寄せることを特徴とするペダル装置。
【請求項４】
請求項１〜請求項３のいずれかに記載のペダル装置において、前記ペダルの上限位置を規制する第１規制部と、前記可動カバー部の下限位置を規制する第２規制部とを備えていることを特徴とするペダル装置。
【請求項５】
請求項１〜請求項４のいずれかに記載されたペダル装置を備えていることを特徴とする楽器。
【発明の詳細な説明】
【技術分野】
【０００１】
この発明は、足踏み操作に応じて動作する足鍵盤などのペダル装置およびそれを備えた楽器に関する。
【背景技術】
【０００２】
例えば、足鍵盤などのペダル装置においては、特許文献１に記載されているように、ペダルの一端部である後端部をペダルケース内に上下方向に回転可能に取り付け、このペダルの他端部である先端部をペダルケース内から外部に突出させ、この突出したペダルの先端部を足踏み操作することにより、ペダルを上下方向に回転させるように構成されたものが知られている。
【先行技術文献】
【特許文献】
【０００３】
【特許文献１】特開平０９−２１２１６０号公報
【０００４】
このようなペダル装置は、ペダルの踏み込み操作時にペダルとペダルケースとの間に足の指先を挟まないように、ペダルに指止め部材を設け、この指止め部材によって指先の位置を規制するように構成されている。
【発明の概要】
【発明が解決しようとする課題】
【０００５】
しかしながら、このようなペダル装置では、ペダルの上面に指止め部材を設けた構成であるから、指止め部材を設置するための設置位置が問題となる。例えば、指止め部材をペダルケースの内部に設けた場合には、指先の位置を規制しても、ペダルとペダルケースとの間に足の指先を挟んでしまう。
【０００６】
また、指止め部材をペダルケースのペダル挿入口の内部に設けた場合には、指止め部材とペダルケースとの間に隙間が生じ、この隙間に足の指先を挟む恐れがある。さらに、指止め部材をペダルケースの外部に設けた場合には、指止め部材が常に外部に露出するため、ペダル装置全体の外観が損なわれ、デザイン的に好ましくない。
【０００７】
この発明が解決しようとする課題は、指先を挟んでも怪我をすることのないペダル装置および楽器を提供することである。
【課題を解決するための手段】
【０００８】
この発明は、ベース部材と、このベース部材上に一端部が上下方向に回転可能に取り付けられたペダルと、このペダルの他端部側を上方に向けて付勢する付勢部材と、前記ベース部材に固定された固定カバー部、およびこの固定カバー部に上下方向に変位可能に取り付けられた可動カバー部を備え、前記ペダルの前記他端部側を露出させた状態で前記ペダルの前記一端部側を覆うカバーケースと、を備えていることを特徴とするペダル装置である。
【発明の効果】
【０００９】
この発明によれば、ペダルの踏み込み操作時に、ペダルとカバーケースとの間に足の指先が挟まっても、ペダルの上方への復帰動作に伴って足の指先と共にカバーケースの可動カバー部を上側に変位させることができるので、指先を挟んでも怪我をすることがなく、安全にペダルの踏み込み操作を行うことができる。
【図面の簡単な説明】
【００１０】
【図１】この発明のペダル装置を鍵盤楽器に適用した一実施形態を示した斜視図である。
【図２】図１に示された鍵盤楽器のペダル装置を示した要部の拡大平面図である。
【図３】図２に示されたペダル装置のＡ−Ａ矢視における要部の拡大断面図である。
【図４】図３に示されたペダル装置のペダルを踏み込んで押し下げた状態を示した要部の拡大断面図である。
【図５】図４に示されたペダル装置のペダルと可動カバー部との間に足の指先が挟まった状態を示した要部の拡大断面図である。
【図６】図５に示された状態のペダル装置において、ペダルの先端部側が上方に復帰する動作に伴って、足の指先と共に可動カバー部が押し上げられた状態を示した要部の拡大断面図である。
【発明を実施するための形態】
【００１１】
以下、図１〜図６を参照して、この発明を鍵盤楽器のペダル装置に適用した一実施形態について説明する。
この鍵盤楽器１は、図１に示すように、楽器ケース２を備えている。この楽器ケース２の内部には、複数の鍵が並列に配列された鍵盤部２ａが、上方に露呈した状態で設けられており、この楽器ケース２の両側部には、一対の脚部２ｂが設けられている。
【００１２】
また、この鍵盤楽器１は、図１〜図３に示すように、ペダル装置３を備えている。このペダル装置３は、一対の脚部２ｂ間における下部に設けられている。すなわち、このペダル装置３は、鍵盤楽器１の一対の脚部２ｂ間に梁渡されたベース部材４と、このベース部材４の長手方向（図１では左右方向）における中間部に設けられた複数（この実施形態では３個）のペダル５と、を備えている。
【００１３】
ベース部材４は、図１〜図３に示すように、鍵盤楽器１の一対の脚部２ｂ間に梁渡されるベース本体部６と、このベース本体部６の長手方向における中間部に設けられて複数のペダル５の各下限位置をそれぞれ規制する複数のペダル規制部７とを備えている。この場合、ベース本体部６上には、複数のペダル５をそれぞれ回転可能に支持するための複数のペダル支持部６ａが設けられている。複数のペダル規制部７は、ベース本体部６の中間部から前側（図３では左側）に向けてそれぞれ突出して設けられている。
【００１４】
複数のペダル５は、図２および図３に示すように、それぞれ各先端部５ａ側（図３では左端部）が円弧状で、各後端部５ｂ（図３では右端部）が長方形状に形成されている。この場合、ペダル５は、その外周に沿って連続する枠状の縁部５ｃが、垂下された状態で形成された構成になっている。
【００１５】
また、このペダル５は、図３に示すように、その後端部５ｂがベース部材４のペダル支持部６ａに支持軸６ｂによって上下方向に回転可能に取り付けられている。これにより、ペダル５は、先端部５ａ内の下面がペダル規制部７の先端部に設けられた当接部７ａに接離可能に当接することにより、下限位置が規制されるように構成されている。
【００１６】
ところで、ベース部材４には、図１および図２に示すように、ベース本体部６を覆うカバー部材８が設けられている。このカバー部材８は、ベース部材４のベース本体部６の中間部、つまり複数のペダル５が配置された個所を除いて、ベース本体部６上に設けられている。また、ベース部材４の中間部には、図２および図３に示すように、複数のペダル５の各先端部５ａ側を露出させた状態で、複数のペダル５の各後端部５ｂ側を覆うカバーケース９が設けられている。
【００１７】
このカバーケース９は、図２および図３に示すように、ベース部材４のベース本体部６上に固定された固定カバー部１０と、この固定カバー部１０に上下方向に変位可能に取り付けられた可動カバー部１１とを備えている。固定カバー部１０は、ペダル５の後端部５ｂの後方（図３では右側）に位置するベース本体部６上に起立して設けられている。可動カバー部１１は、ペダル５の上方に位置した状態で、固定カバー部１０の上端部にヒンジ部１２によって回転可能に取り付けられている。
【００１８】
すなわち、この可動カバー部１１は、図３に示すように、ベース部材４のベース本体部６の上方に位置する上板部１１ａと、この上板部１１ａの前端部（図３では左端部）から斜め前側に向けて傾斜して垂下された前板部１１ｂとを有し、この前板部１１ｂの下部に複数のペダル５が上下方向に移動可能に挿入するペダル挿入溝１１ｃがそれぞれ下側に開放されて設けられた構成になっている。
【００１９】
このペダル挿入溝１１ｃは、図３および図４に示すように、複数のペダル５の配列方向における長さがペダル５の長手方向と直交する方向の長さとほぼ同じ大きさで、その上端部がペダル５の上限位置における上面の高さとほぼ同じ高さに位置し、この状態でペダル５が上下方向に移動するように構成されている。
【００２０】
また、可動カバー部１１とペダル５との間には、図３および図４に示すように、ばね部材１３が設けられている。このばね部材１３は、コイルばねであり、その一端部である上端部が可動カバー部１１の上板部１１ａの下面に取り付けられ、他端部である下端部がペダル５の上面に取り付けられ、この状態でペダル５と可動カバー部１１とを相互に引き寄せることにより、ペダル５の先端部５ａ側を引き上げる方向に付勢するように構成されている。
【００２１】
この場合、ペダル５は、図３および図４に示すように、第１規制部１４によって上限位置が規制されている。この第１規制部１４は、ベース部材４のベース本体部６における後端部（図３では右端部）の上面であり、ペダル５の後端部５ｂの下面が接離可能に当接することにより、ペダル５の上限位置を規制して、ペダル５をほぼ水平な状態に位置規制するように構成されている。
【００２２】
また、可動カバー部１１は、図３に示すように、第２規制部１５によって下限位置が規制されている。この第２規制部１５は、ヒンジ部１２の近傍に位置する固定カバー部１０の内面上部に設けられて、ヒンジ部１２の近傍に位置する可動カバー部１１の上板部１１ａの下面が接離可能に当接することにより、可動カバー部１１の下限位置を規制するように構成されている。
【００２３】
これにより、ペダル５は、図３に示すように、ばね部材１３のばね力によってペダル５と可動カバー部１１とが互いに引き寄せられていることにより、ペダル５の先端部５ａ側が引き上げられて、ペダル５の後端部５ｂの下面がベース部材４の第１規制部１４に当接して、初期位置である上限位置に規制されて、ほぼ水平な状態に保持されるように構成されている。
【００２４】
また、可動カバー部１１は、図３に示すように、ばね部材１３のばね力によってペダル５と可動カバー部１１とが互いに引き寄せられていることにより、ヒンジ部１２の近傍に位置する可動カバー部１１の下面が、ヒンジ部１２の近傍に位置する固定カバー部１０の内面上部に設けられた第２規制部１５に当接して、初期位置である下限位置に規制されるように構成されている。
【００２５】
次に、このような鍵盤楽器１のペダル装置３の作用について説明する。
このペダル装置３は、図３に示すように、通常は、ばね部材１３のばね力によってペダル５と可動カバー部１１とが相互に引き寄せられている。このため、ペダル５の先端部５ａ側がほぼ水平な状態に引き上げられると共に、可動カバー部１１が引き下げられて、可動カバー部１１の前板部１１ｂに設けられたペダル挿入溝１１ｃの上端部がペダル５の上面に接近する。
【００２６】
このときには、図３に示すように、ペダル５の後端部５ｂの下面がベース部材４の第１規制部１４に当接して、ペダル５が初期位置である上限位置に規制される。また、ヒンジ部１２の近傍に位置する可動カバー部１１の下面が、ヒンジ部１２の近傍に位置する固定カバー部１０の内面上部に設けられた第２規制部１５に当接して、可動カバー部１１が初期位置である下限位置に規制される。
【００２７】
この状態で、ペダル５を足で踏み込むと、図４に示すように、ばね部材１３のばね力に抗して、ペダル５がベース部材４のペダル支持部６ａの支持軸６ｂを中心に反時計回りに回転して、ペダル５の先端部５ａ側が押し下げられる。このときには、可動カバー部１１が第２規制部１５によって下限位置に規制された状態で、ペダル５の先端部５ａ内の下面がベース部材４のペダル規制部７の先端部に設けられた当接部７ａの上面に当接して、ペダル５の下限位置が規制される。
【００２８】
そして、ペダル５の踏み込みを解除すると、ペダル５がばね部材１３のばね復帰力によってベース部材４のペダル支持部６ａの支持軸６ｂを中心に時計回りに回転して、ペダル５の先端部５ａ側が引き上げられる。このときには、図３に示すように、ペダル５の後端部５ｂの下面がベース部材４の第１規制部１４に当接して、ペダル５が上限位置に規制され、ペダル５が初期位置に戻る。このようにして、ペダル５の踏み込み操作が行われる。
【００２９】
ところで、ペダル５の踏み込み操作中に、図５に示すように、足の指先Ｆがペダル５とカバーケース９の可動カバー部１１との間に挟まった場合には、図６に示すように、ペダル５の初期位置への復帰動作に伴って、足の指先Ｆと共にカバーケース９の可動カバー部１１が上方に向けて回転移動する。
【００３０】
すなわち、ペダル５を踏み込んだときに、図５に示すように、足の指先Ｆがペダル５とカバーケース９の可動カバー部１１との間に挟まると、足の指先Ｆを挟んだ状態で、図６に示すように、ばね部材１３のばね力によってペダル５がペダル支持部６ａの支持軸６ｂを中心に時計回りに回転して、ペダル５の先端部５ａ側が引き上げられる。
【００３１】
このときには、図６に示すように、ペダル５の先端部５ａ側の引き上げ動作に伴って足の指先Ｆが押し上げられ、この足の指先Ｆの押し上げ動作に伴ってカバーケース９の可動カバー部１１が足の指先Ｆと共に押し上げられる。このため、可動カバー部１１がヒンジ部１２を中心に時計回りに回転して押し上げられる。このときには、ばね部材１３は伸縮せずに、そのままの状態で可動カバー部１１およびペダル５と共に上方に移動する。
【００３２】
これにより、ペダル５と可動カバー部１１との間に足の指先Ｆが挟まっても、ばね部材１３のばね力によって足の指先Ｆに大きな負荷が加わらない。このため、ペダル５と可動カバー部１１との間に足の指先Ｆを挟んでも、怪我をすることなく、安全にペダル５の踏み込み操作を行うことができる。
【００３３】
このように、この鍵盤楽器１のペダル装置３によれば、ベース部材４上に後端部５ｂが上下方向に回転可能に取り付けられたペダル５と、このペダル５の先端部５ａ側を上方に向けて付勢するばね部材１３と、ペダル５の後端部５ｂ側を覆うカバーケース９とを備え、このカバーケース９が、ベース部材４に固定された固定カバー部１０と、この固定カバー部１０に上下方向に変位可能に取り付けられた可動カバー部１１とを備えているので、ペダル５とペダルケース９との間に足の指先Ｆを挟んでも怪我をすることがなく、安全にペダル５の踏み込み操作を行うことができる。
【００３４】
すなわち、このペダル装置３では、ペダル５を踏み込んでペダル５を操作する際に、ペダル５とペダルケース９との間に足の指先Ｆが挟まると、ペダル５がばね部材１３のばね力によって引き上げられる際に、足の指先Ｆと共にカバーケース９の可動カバー部１１を上方に確実にかつ良好に変位させることができる。
【００３５】
このため、このペダル装置３では、足の指先Ｆを挟んでも怪我をすることがなく、安全にペダル５の踏み込み操作を行うことができる。これにより、特に小さい子供の安全対策に有効であるほか、ペダル５上に指止め部材などの別部品を設ける必要がないので、部品点数を削減できると共に、外観的に好ましいものを提供することができる。
【００３６】
この場合、カバーケース９の固定カバー部１０は、ペダル５の後端部５ｂの後方に位置するベース部材４上に起立して設けられており、可動カバー部１１は、ペダル５の上方に位置した状態で、固定カバー部１０の上端部にヒンジ部１２によって上下方向に回転可能に取り付けられていることにより、ペダル５と可動カバー部１１との間に足の指先Ｆが挟まって、ペダル５がばね部材１３のばね力によって引き上げられる際に、ヒンジ部１２を中心に可動カバー部１１を上方に向けて円滑にかつ良好に回転させることができる。
【００３７】
また、ばね部材１３は、ペダル５と可動カバー部１１との間に設けられ、この状態でペダル５と可動カバー部１１とを相互に引き寄せる構成であるから、ペダル５を引き上げる機能と、可動カバー部１１を引き下げる機能との両方の機能を、１つのばね部材１３で兼用することができ、これにより部品点数の削減を図ることができると共に、構造の簡素化および組み立て作業の簡素化を図ることができる。
【００３８】
すなわち、このばね部材１３は、コイルばねであり、その一端部である上端部が可動カバー部１１の上板部１１ａの下面に取り付けられ、他端部である下端部がペダル５の上面に取り付けられ、この状態でペダル５と可動カバー部１１とを相互に引き寄せる構成であるから、１つのばね部材１３によってペダル５の先端部５ａ側を確実に引き上げることができると共に、可動カバー部１１を確実に引き下げることができる。
【００３９】
また、このペダル装置３では、ペダル５の上限位置を規制する第１規制部１４と、可動カバー部１１の下限位置を規制する第２規制部１５とを備えていることにより、ばね部材１３のばね力によってペダル５と可動カバー部１１とが互いに引き寄せられた際に、ペダル５と可動カバー部１１とを常に初期位置に確実にかつ良好に位置規制することができる。
【００４０】
すなわち、このペダル装置３では、ばね部材１３のばね力によってペダル５の先端部５ａ側が引き上げられても、第１規制部１４によってペダル５の上限位置を規制することができると共に、ばね部材１３のばね力によって可動カバー部１１が引き下げられても、第２規制部１５によって可動カバー部１１の下限位置を規制することができるので、ペダル５と可動カバー部１１とを常に初期位置に確実にかつ良好に位置規制することができる。
【００４１】
この場合、第１規制部１４は、ベース部材４のベース本体部６における後端部の上面であり、ペダル５の後端部５ｂの下面が接離可能に当接することにより、ばね部材１３のばね力によってペダル５が引き上げられた際に、ペダル５を初期位置である上限位置に確実に規制することができる。
【００４２】
また、第２規制部１５は、ヒンジ部１２の近傍に位置する固定カバー部１０の内面上部に設けられて、ヒンジ部１２の近傍に位置する可動カバー部１１の下面が接離可能に当接することにより、ばね部材１３のばね力によって可動カバー部１１が引き下げられた際に、可動カバー部１１を初期値である下限位置に確実に規制することができる。
【００４３】
なお、上述した実施形態では、１つのばね部材１３でペダル５と可動カバー部１１とを互いに引き寄せるように構成した場合について述べたが、これに限らず、例えばペダル５を押し上げる第１のばね部材と、可動カバー部１１を引き下げる第２のばね部材とを備えた構成であっても良い。この場合には、第１のばね部材をペダル５とベース部材４との間に設け、第２のばね部材を可動カバー部１１と固定カバー部１０との間、または可動カバー部１１とベース部材４との間に設ければ良い。
【００４４】
また、上述した実施形態では、固定カバー部１０の上端部に可動カバー部１１をヒンジ部１２によって上下方向に回転可能に取り付けた構成である場合について述べたが、これに限らず、固定カバー部１０に可動カバー部１１を上下方向にスライド可能に取り付けた構成であっても良い。
【００４５】
さらに、上述した実施形態では、鍵盤楽器の足鍵盤に適用した場合について述べたが、必ずしも鍵盤楽器の足鍵盤である必要はなく、足踏み操作に応じて動作するシンバルやドラムなどの楽器にも適用することができる。また必ずしも楽器である必要はなく、足踏み操作に応じて動作する機器にも適用することができる。
【００４６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００４７】
（付記）
請求項１に記載の発明は、ベース部材と、このベース部材上に一端部が上下方向に回転可能に取り付けられたペダルと、このペダルの他端部側を上方に向けて付勢する付勢部材と、前記ベース部材に固定された固定カバー部、およびこの固定カバー部に上下方向に変位可能に取り付けられた可動カバー部を備え、前記ペダルの前記他端部側を露出させた状態で前記ペダルの前記一端部側を覆うカバーケースと、を備えていることを特徴とするペダル装置である。
【００４８】
請求項２に記載の発明は、請求項１に記載のペダル装置において、前記固定カバー部は、前記ペダルの前記一端部側に位置する前記ベース部材上に起立して設けられ、前記可動カバー部は、前記ペダルの上方に位置した状態で、前記固定カバー部の上端部にヒンジ部によって回転可能に取り付けられていることを特徴とするペダル装置である。
【００４９】
請求項３に記載の発明は、請求項１または請求項２に記載のペダル装置において、前記付勢部材は、前記ペダルと前記可動カバー部との間に設けられ、この状態で前記ペダルと前記可動カバー部とを相互に引き寄せることを特徴とするペダル装置である。
【００５０】
請求項４に記載の発明は、請求項１〜請求項３のいずれかに記載のペダル装置において、前記ペダルの上限位置を規制する第１規制部と、前記可動カバー部の下限位置を規制する第２規制部とを備えていることを特徴とするペダル装置である。
【００５１】
請求項５に記載の発明は、請求項１〜請求項４のいずれかに記載されたペダル装置を備えていることを特徴とする楽器である。
【符号の説明】
【００５２】
１  鍵盤楽器
２  楽器ケース
２ａ  鍵盤部
２ｂ  一対の脚部
３  ペダル装置
４  ベース部材
５  ペダル
５ａ  先端部
５ｂ  後端部
６  ベース本体部
７  ペダル規制部
９  カバーケース
１０  固定カバー部
１１  可動カバー部
１２  ヒンジ部
１３  ばね部材
１４  第１規制部
１５  第２規制部
Ｆ  足の指先
【図１】
2014224854.tif 000003
【図２】
2014224854.tif 000004
【図３】
2014224854.tif 000005
【図４】
2014224854.tif 000006
【図５】
2014224854.tif 000007
【図６】
2014224854.tif 000008